(57)【特許請求の範囲】
【請求項１】
本体と、
入力部が設けられた第１面及び、その反対にある第２面を有するパネルと、
上記本体に設けられており、上記パネルを回動可能に支持する支持部と、
上記本体から外へ向かう第１方向及び、当該第１方向と反対の第２方向へ移動可能に上記本体に設けられた移動部材と、
上記パネルの回動と上記移動部材の移動とを連動可能に上記移動部材と上記パネルとを連結しており、上記パネルの第１回動方向への回動を上記移動部材の上記第１方向への移動として連動させ、上記パネルの上記第１回動方向と反対の第２回動方向への回動を上記移動部材の上記第２方向への移動として連動させる連結部と、
上記本体に設けられており、上記移動部材が上記第２方向へ移動するときに、上記移動部材が上記第１方向へ移動するときよりも大きな抵抗力を付与する抵抗部材と、を具備するパネル装置。
【請求項２】
上記抵抗部材は、
上記摺動抵抗力を発生する摺動部と、
上記移動部材が上記第２方向へ移動するときに上記移動部材と上記摺動部とを連結し、上記移動部材が上記第１方向へ移動するときに上記移動部材と上記摺動部とを連結しない伝達部と、を有する請求項１に記載のパネル装置。
【請求項３】
上記摺動部は、回転軸と、当該回転軸が嵌合する軸受孔が設けられた軸受部と、を有し、上記回転軸と上記軸受部との間において摺動抵抗力が発生する請求項２に記載のパネル装置。
【請求項４】
上記伝達部は、
上記回転軸と一体に回転する第１ピニオンギヤと、
上記移動部材に設けられたラックギヤと噛合する第２ピニオンギヤと、
上記第２ピニオンギヤと噛合しており、上記第２ピニオンギヤの軸周りに移動することにより上記第１ピニオンギヤと噛合する第１状態、又は上記第１ピニオンギヤと噛合しない第２状態となる遊星ギヤと、を有する請求項２又は３に記載のパネル装置。
【請求項５】
上記抵抗部材は、ワンウェイヒンジである請求項１に記載のパネル装置。
【請求項６】
請求項１から５のいずれかに記載のパネル装置と、
シートに画像を記録する記録部と、を備える画像記録装置。
【発明の詳細な説明】
【技術分野】
【０００１】
本発明は、入力部を備えたパネル装置及び、それを備えた画像記録装置に関する。
【背景技術】
【０００２】
画像記録装置において、ユーザからの入力を受け付ける各種キーやタッチパネル、及びユーザのために各種情報を表示するディスプレイなどが設けられている。各種キーやタッチパネル、ディスプレイなどは、操作パネルに集約して設けられていることが多い。操作パネルは、ユーザのアクセスが容易となるように、ユーザが装置に対して向かい合う装置の正面に配置されることが多い。また、ユーザの視線やアクセス方向が装置の斜め上方になることが多いと想定されることから、操作パネルの表面は、斜め上方に向けられていることもある。さらに、ユーザの視線やアクセス方向に合わせるために、操作パネルの表面が向く方向が概ね水平方向から上方向まで選択できるように、操作パネルが装置本体に対して回動可能に設けられる構成が公知である（特許文献１）。また、所望の回動位置まで回動された操作パネルが、ユーザからの入力を受け付けるときに回動しないように回動位置を保持できるように、所謂チルト機構が操作パネルの回動機構として設けられることもある（特許文献２）。
【先行技術文献】
【特許文献】
【０００３】
【特許文献１】特開２０１２−１１６１３４号公報
【特許文献２】特開２０１０−５９４１号公報
【発明の概要】
【発明が解決しようとする課題】
【０００４】
前述された操作パネルは、ユーザが回動位置を変えたいときには円滑に回動し、且つ、所望の回動位置においてユーザが入力するときには、回動しないという相反する機能が要求される。例えば、特許文献２に開示されたラチェット機構は、ユーザが押しボタンを押すことによってラチェット歯と係合爪との係合が解除されるので、操作パネルが円滑に回動可能であり、且つ、押しボタンが押されていない状態では、ラチェット歯と係合爪とが係合して、所定の力では操作パネルが回動しないように制止する。しかしながら、操作パネルを回動させるために、ユーザに押しボタンの操作を要求するため、操作パネルを回動するための動作が、ユーザにとって所謂ダブルアクションとなる。すなわち、ユーザは、ラチェット機構の押しボタンを押しながら或いは押した後に、操作パネルを回動させなければならない。
【０００５】
本発明は、前述された事情に鑑みてなされたものであり、その目的は、ユーザに要求する操作が簡易であり、且つパネルの円滑な回動と回動の規制とが実現される手段を提供することにある。
【課題を解決するための手段】
【０００６】
本発明に係るパネル装置は、本体と、入力部が設けられた第１面及び、その反対にある第２面を有するパネルと、上記本体に設けられており、上記パネルを回動可能に支持する支持部と、上記本体から外へ向かう第１方向及び、当該第１方向と反対の第２方向へ移動可能に上記本体に設けられた移動部材と、上記パネルの回動と上記移動部材の移動とを連動可能に上記移動部材と上記パネルとを連結しており、上記パネルの第１回動方向への回動を上記移動部材の上記第１方向への移動として連動させ、上記パネルの上記第１回動方向と反対の第２回動方向への回動を上記移動部材の上記第２方向への移動として連動させる連結部と、上記本体に設けられており、上記移動部材が上記第２方向へ移動するときに、上記移動部材が上記第１方向へ移動するときよりも大きな抵抗力を付与する抵抗部材と、を具備する。
【０００７】
パネルが第１回動方向へ回動するに連動して第１方向へ移動する移動部材に対して、抵抗部材が付与する抵抗力は比較的小さく、他方、パネルが第２回動方向へ回動するに連動して第２方向へ移動する移動部材に対して、抵抗部材が付与する抵抗力は比較的大きい。したがって、第１回動方向へのパネルの回動は円滑になり、他方、ユーザが入力部へ入力するときにパネルに加わる第２回動方向への力に対しては、抵抗部材による抵抗力によってパネルが第２回動方向へ回動し難くなる。
【発明の効果】
【０００８】
本発明によれば、ユーザに要求する操作が簡易であり、且つパネルの円滑な回動と、ユーザからの入力に対してパネルの回動の規制とが簡易な構造により実現される。
【図面の簡単な説明】
【０００９】
【図１】図１は、本発明の実施形態に係るパネル装置２０が搭載された複合機１０の斜視図である。
【図２】図２は、パネル装置２０の構成を説明するための複合機１０の主要部の斜視図であり、一部を拡大して示している。
【図３】図３は、パネル装置２０の構成を説明するための複合機１０におけるプリンタ部１１の平面図であり、一部を拡大して示している。
【図４】図４（Ａ）は、図３に示されたプリンタ部１１の側面図、図４（Ｂ）は、パネル装置２０を前後方向８の前方に回動させた状態におけるパネル装置２０及びプリンタ部１１の横断面図である。
【図５】図５（Ａ）は、パネル装置２０に設けられた抵抗部材４０の平面図、図５（Ｂ）は、図５（Ａ）に示された抵抗部材４０の動作説明図である。
【図６】図６は、パネル装置２０の変形例における抵抗部材４０の平面図である。
【発明を実施するための形態】
【００１０】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００１１】
［複合機］
図１に示されるように、本発明のパネル装置２０は、画像記録装置の一例である複合機１０に搭載される。複合機１０は、プリント機能を有するプリンタ部１１（「本体」に相当）と、スキャン機能を備えたスキャナ部（フラットベッドスキャナ）１２とを具備する。なお、以下の説明においては、図１に示された複合機１０の状態に対して、上下方向７、前後方向８、左右方向９が定義される。なお、複合機１０における前後方向８の前方端に位置する前面は、ユーザが複合機１０及びパネル装置２０を操作するときに向かい合う「正面」に相当する。
【００１２】
プリンタ部１１は直方体形状に構成されており、パネル装置２０は、プリンタ部１１の前面（正面）に搭載される。プリンタ部１１は、図示されないが、シート等に対してインクジェット方式で画像を記録する記録部、記録部にシートを搬送する搬送機構等を具備する。
【００１３】
スキャナ部１２は、厚さ（上下方向７に沿った長さ）が比較的薄い直方体形状に構成されている。スキャナ部１２は、プリンタ部１１の上方に配置されており、前部が上下方向７に回動可能になっている。スキャナ部１２は、図示されないが、コンタクトガラス、原稿送り機構、画像読取部等を具備する。スキャナ部１２は、コンタクトガラス上の原稿の画像を画像読取部によって読み取る。
【００１４】
［パネル装置２０］
パネル装置２０は、プリンタ部１１における前後方向８の前方に支持されたパネル２１を有する。パネル２１は、ユーザがタッチ操作する際に向き合う第１面２１Ａを有する。第１面２１Ａは長方形状である。第１面２１Ａには、ユーザがプリンタ部１１に対して各種操作情報を入力する際に入力操作される入力部、各種情報を表示するディスプレイ等が設けられている。パネル２１は、第１面２１Ａにおける長手方向をプリンタ部１１の左右方向９に沿った状態で、第１面２１Ａが回動方向６の第１回動方向に向くように、プリンタ部１１に支持されている。
【００１５】
図２、図４（Ａ）及び（Ｂ）に示されるように、複合機の１０におけるプリンタ部１１の前端部には、パネル２１が支持される前壁部１１Ａが設けられている。前壁部１１Ａは、上下方向７及び左右方向９に沿った状態になっている。前壁部１１Ａには、左右方向９の両端部に、上下方向７に沿った状態で、前後方向８の前方に向かって突出する支持部１１Ｂがそれぞれ設けられている。各支持部１１Ｂには、パネル２１の左右方向９の両端部がそれぞれ支持される。各支持部１１Ｂは、上方になるほど、前後方向８の前方への突出量が大きくなっている。各支持部１１Ｂの上部には、パネル２１を支持する支持溝１１Ｃがそれぞれ設けられている。各支持溝１１Ｃは、前後方向８の後方に向かって開放されている。
【００１６】
図３に示されるように、パネル２１は、前壁部１１Ａに設けられた両支持部１１Ｂの間に配置されている。図４（Ａ）及び（Ｂ）に示されるように、パネル２１における第１面２１Ａとは反対の第２面２１Ｃは、前壁部１１Ａに対向している。図２及び図４（Ａ）に示されるように、パネル２１における左右方向９の両端における各側面２１Ｅの上部に、外方に突出する回動軸２１Ｄがそれぞれ設けられている。各回動軸２１Ｄが、前壁部１１Ａの各支持部１１Ｂに設けられた支持溝１１Ｃ内に、それぞれ回動可能に嵌合されている。パネル２１は、各回動軸２１Ｄを中心として、回動方向６（図４（Ａ）及び（Ｂ）参照）に沿って回動可能である。なお、図４（Ａ）及び（Ｂ）に示されるように、パネル２１の下部が前後方向８の前方に向かって回動される方向を、第１回動方向とし、パネル２１の下部が前後方向８の後方に向かって回動される方向を、第２回動方向とする。
【００１７】
図４（Ｂ）に示されるように、前壁部１１Ａにおける左右方向９の中央部には開口部１１Ｄが設けられている。開口部１１Ｄ内には移動部材３１が貫通している。移動部材３１は、前後方向８に沿ってスライド可能に配置されている。移動部材３１は、パネル２１の回動方向６の回動に連動して前後方向８に沿ってスライドする。移動部材３１の前端部は、前壁部１１Ａよりも前後方向８の前方に位置している。移動部材３１の後部は、プリンタ部１１の内部に位置しており、後述するように、プリンタ部１１内の支持台１３上に前後方向８へのスライド可能に支持されたスライド部３１Ｂになっている。
【００１８】
図４（Ａ）及び（Ｂ）に示されるように、移動部材３１の前端部には、連結部３２の後端部が取り付けられている。連結部３２の前端部は、パネル２１の第２面２１Ｃに回動可能に取り付けられている。連結部３２は、パネル２１の前後方向８に沿った回動と、移動部材３１の前後方向８に沿ったスライドとを連動させるものである。図４（Ｂ）に示されるように、連結部３２の後端部と、移動部材３１の前端部とは、１本の連結軸３３によって相互に回動可能に連結されている。
【００１９】
連結部３２は、パネル２１の下部が回動方向６の第１回動方向へ回動される場合に、当該パネル２１の回動に連動させて、移動部材３１を前後方向８の前方へスライドさせる。これに対して、連結部３２は、パネル２１が回動方向６の第２回動方向へ回動される場合に、当該パネル２１の回動に連動させて、移動部材３１を前後方向８の後方へスライドさせる。
【００２０】
図２に示されるように、プリンタ部１１の内部に位置された移動部材３１のスライド部３１Ｂは、直方体形状になっている。スライド部３１Ｂは、左方の端部に、前後方向８に沿って延びる左側面３１Ｃを有する。スライド部３１Ｂの右方の端部には、前後方向８に沿ったラックギヤ３１Ｅが設けられている。
【００２１】
プリンタ部１１の内部には、スライド部３１Ｂを前後方向８へのスライド可能に支持する支持台１３が設けられている。支持台１３には、スライド部３１Ｂの左側面３１Ｃを案内する案内面１３Ａが前後方向８に沿って設けられている。案内面１３Ａは、スライド部３１Ｂの左側面３１Ｃに対向している。
【００２２】
支持台１３上には、スライド部３１Ｂの左方に抵抗部材４０が設けられている。抵抗部材４０は、移動部材３１のスライド部３１Ｂに対して、前後方向８の前方へのスライド及び後方へのスライドのそれぞれに対応した抵抗力を付与する。抵抗部材４０は、例えば、フリーストップヒンジによって構成される。
【００２３】
図２における拡大図及び図５（Ａ）に示されるように、抵抗部材４０は、摺動部４１と伝達部４２とを有する。摺動部４１は、移動部材３１のスライド部３１Ｂがスライドする際の抵抗力となる摺動抵抗力を発生する。伝達部４２は、摺動部４１及び移動部材３１を相互に連結された状態及び連結されない状態に切り換える。
【００２４】
摺動部４１は、支持台１３上に上下方向７に沿って回転可能に支持された第１回転軸４１Ａを有する。第１回転軸４１Ａの上端部は、支持台１３上に固定された軸受部４１Ｃに嵌合されている。第１回転軸４１Ａには、第１ピニオンギヤ４１Ｂが、一体回転可能に取り付けられている。第１回転軸４１Ａは、第１ピニオンギヤ４１Ｂの軸心部を挿通している。
【００２５】
軸受部４１Ｃは、軸受孔４１Ｄを有する。軸受孔４１Ｄには、第１回転軸４１Ａの上部が嵌合されている。軸受孔４１Ｄ内に嵌合された第１回転軸４１Ａは、軸受部４１Ｃにおける軸受孔４１Ｄの周縁部に圧接されている。第１回転軸４１Ａが回転されると、第１回転軸４１Ａは軸受孔４１Ｄの周縁部に対して摺動する。これにより、第１回転軸４１Ａに摺動抵抗力が発生する。摺動抵抗力は、第１回転軸４１Ａの回転に対する抵抗力である。
【００２６】
伝達部４２は、移動部材３１のスライド部３１Ｂに設けられたラックギヤ３１Ｅに噛合する第２ピニオンギヤ４２Ａと、第２ピニオンギヤ４２Ａの回転が伝達される遊星ギヤ４２Ｂとを有する。第２ピニオンギヤ４２Ａの軸心部には、上下方向７に沿った第２回転軸４２Ｅが挿通している。第２ピニオンギヤ４２Ａは、第２回転軸４２Ｅに一体回転可能に取り付けられている。第２回転軸４２Ｅは、支持台１３上に、回転可能に支持されている。
【００２７】
移動部材３１が前後方向８の前方にスライドすると、スライド部３１Ｂも一体となって前後方向８の前方（図５（Ａ）に矢印５５で示す方向）にスライドする。この場合、第２ピニオンギヤ４２Ａは、図５（Ａ）に矢印５１で示す方向に回転する。また、スライド部３１Ｂが前後方向８の後方（図５（Ｂ）に矢印５６で示す方向）にスライドすることにより、第２ピニオンギヤ４２Ａは、図５（Ｂ）に矢印５３で示す方向に回転する。
【００２８】
遊星ギヤ４２Ｂは、第２ピニオンギヤ４２Ａに噛合した小ギヤ部４２Ｃと、摺動部４１の第１ピニオンギヤ４１Ｂに噛合可能な大ギヤ部４２Ｄとを有する。大ギヤ部４２Ｄの直径は、小ギヤ部４２Ｃの直径よりも大きい。小ギヤ部４２Ｃは大ギヤ部４２Ｄの上方に配置されている。小ギヤ部４２Ｃ及び大ギヤ部４２Ｄのそれぞれの軸心部には、上下方向７に沿った１本の第３回転軸４２Ｆが挿通している。小ギヤ部４２Ｃ及び大ギヤ部４２Ｄのそれぞれは、第３回転軸４２Ｆに一体回転可能に取り付けられている。従って、小ギヤ部４２Ｃ及び大ギヤ部４２Ｄは一体となって同じ方向に回転する。
【００２９】
第３回転軸４２Ｆの下端部は、支持台１３の上面に設けられた案内溝１３Ｂ内にスライド可能に嵌合されている。案内溝１３Ｂは、第２ピニオンギヤ４２Ａの軸心部を挿通する第２回転軸４２Ｅを中心とした円周に沿った円弧状に形成されている。案内溝１３Ｂにおける周方向の一方の端部は、第１ピニオンギヤ４１Ｂに近接した位置にあり、他方の端部は、第１ピニオンギヤ４１Ｂから離間した位置にある。
【００３０】
遊星ギヤ４２Ｂの小ギヤ部４２Ｃが回転すると、第３回転軸４２Ｆは、案内溝１３Ｂに案内されて、第２ピニオンギヤ４２Ａの軸心部を挿通する第２回転軸４２Ｅの周りを、小ギヤ部４２Ｃの回転方向に対応した方向に移動可能になっている。すなわち、遊星ギヤ４２Ｂの小ギヤ部４２Ｃが図５（Ａ）の矢印５２で示された方向に回転すると、第３回転軸４２Ｆは、案内溝１３Ｂに沿って、第１ピニオンギヤ４１Ｂから離間する方向に移動される。遊星ギヤ４２Ｂの小ギヤ部４２Ｃが図５（Ｂ）の矢印５４で示された方向に回転すると、第３回転軸４２Ｆは、案内溝１３Ｂに沿って、第１ピニオンギヤ４１Ｂに接近する方向に移動される。
【００３１】
図５（Ａ）に示されるように、第３回転軸４２Ｆが、案内溝１３Ｂにおける第１ピニオンギヤ４１Ｂから離間した端部内に位置される場合には、遊星ギヤ４２Ｂの大ギヤ部４２Ｄは、第２ピニオンギヤ４２Ａに噛合していない第２状態になる。
【００３２】
図５（Ｂ）に示されるように、第３回転軸４２Ｆが、案内溝１３Ｂにおける第１ピニオンギヤ４１Ｂに近接した端部内に位置される場合には、遊星ギヤ４２Ｂの大ギヤ部４２Ｄは、第２ピニオンギヤ４２Ａに噛合した第１状態になる。
【００３３】
［パネル装置２０の動作］
パネル装置２０のパネル２１は、図４（Ａ）に示されるように、プリンタ部１１の前壁部１１Ａに沿った状態（以下、「第２状態」とする）と、図４（Ｂ）に示されるように、パネル２１が第２状態から回動方向６の第１回動方向に回動された状態（以下、「第１状態」とする）とされる。パネル装置２０が図４（Ａ）に示される第２状態にあるとき、移動部材３１は、連結部材３２によって前後方向８の後方に移動された状態になっている。この場合、図５（Ｂ）に示されるように、遊星ギヤ４２Ｂの大ギヤ部４２Ｄは、第１ピニオンギヤ４１Ｂに噛合した第２状態になっている。
【００３４】
このような第２状態のパネル２１を、ユーザが第１状態にする場合には、ユーザは、パネル２１を回動方向６の第１回動方向に回動させる操作を実行する。このとき、連結部３２は、パネル２１の第１回動方向の回動に連動させて、移動部材３１を前後方向８の前方（「第１方向」に相当）にスライドさせる。これにより、移動部材３１のスライド部３１Ｂに設けられたラックギヤ３１Ｅが一体となって前後方向８の前方にスライドする。
【００３５】
これにより、第２ピニオンギヤ４２Ａが、図５（Ａ）の矢印５１で示される方向に回転される。このとき、第２ピニオンギヤ４２Ａが噛合した遊星ギヤ４２Ｂの小ギヤ部４２Ｃは、図５（Ａ）の矢印５２で示される方向に回転される。この場合、第３回転軸４２Ｆが、支持台１３の案内溝１３Ｂに案内されて、摺動部４１の第１ピニオンギヤ４１Ｂから離れる方向に移動する。その結果、図５（Ａ）に示されるように、遊星ギヤ４２Ｂの大ギヤ部４２Ｄは、第１ピニオンギヤ４１Ｂから離れた第２状態になる。
【００３６】
これにより、遊星ギヤ４２Ｂの小ギヤ部４２Ｃは、摺動部４１からの抵抗力を受けることなく回転可能になる。このような状態では、遊星ギヤ４２Ｂの小ギヤ部４２Ｃは、噛合した第２ピニオンギヤ４２Ａが回転する際に、第２ピニオンギヤ４２Ａに対して小さな抵抗力しか付与しない。従って、第２ピニオンギヤ４２Ａも、前後方向８の前方へスライドするラックギヤ３１Ｅに対して小さな抵抗力しか付与しない。その結果、ラックギヤ３１Ｅは、前後方向８の前方に向かう比較的小さな力が作用することによって、前後方向８の前方に円滑にスライドする。
【００３７】
このことから、ユーザは、パネル２１に対して比較的小さな力を、回動方向６の第１回動方向に加えるだけで、パネル２１を第１回動方向に回動させることができる。
【００３８】
パネル２１が第１回動方向へ所定量にわたって回動されると、ユーザは、パネル２１に対して第２回動方向へ向かう力を作用させる。これにより、スライド部３１Ｂのラックギヤ３１Ｅが前後方向８の後方（「第２方向」に相当）にスライドされて、第２ピニオンギヤ４２Ａが、図５（Ａ）の矢印５１とは反対方向に回転される。これにより、遊星ギヤ４２Ｂの小ギヤ部４２Ｃ及び大ギヤ部４２Ｄが、図５（Ａ）の矢印５２とは反対方向に回転される。この場合、第３回転軸４２Ｆが、支持台１３の案内溝１３Ｂに案内されて、摺動部４１の第１ピニオンギヤ４１Ｂに接近する方向に移動する。その結果、図５（Ｂ）に示されるように、遊星ギヤ４２Ｂの大ギヤ部４２Ｄは、第１ピニオンギヤ４１Ｂに噛合した第１状態になる。これにより、パネル２１は、図４（Ｂ）に示されるように、パネル２１の下部が、上部よりも前方に位置するように傾斜した第１状態とされる。
【００３９】
遊星ギヤ４２Ｂの大ギヤ部４２Ｄが第１状態になると、摺動部４１において発生した摺動抵抗力は、第１ピニオンギヤ４１Ｂ、遊星ギヤ４２Ｂ、第２ピニオンギヤ４２Ａを介して、ラックギヤ３１Ｅに伝達される。この場合、パネル２１の第１面２１Ａが前方の上方に向かって傾斜しているために、ユーザは、第１面２１Ａに設けられた入力部に対して容易に入力操作できる。
【００４０】
図４（Ｂ）に示された使用状態のパネル２１に対して、ユーザが第１面２１Ａの入力部に対する入力操作を実行すると、パネル２１に押圧力が付与される。この押圧力は、パネル２１を第２回動方向へ回動させる力となる。この力は、連結部３２を介して、移動部材３１に、前後方向８の後方へ向かう力として作用する。これにより、移動部材３１のスライド部３１Ｂに設けられたラックギヤ３１Ｅにも前後方向８の後方へ向かう力が作用する。従って、ラックギヤ３１Ｅに噛合した第２ピニオンギヤ４２Ａには、図５（Ｂ）において矢印５３で示す方向への回転力が加わる。
【００４１】
この場合、遊星ギヤ４２Ｂの大ギヤ部４２Ｄは、図５（Ｂ）に示されるように、第１ピニオンギヤ４１Ｂに噛合した第１状態になっている。このために、摺動部４１の第１回転軸４１Ｂにおいて発生する摺動力が、摺動部４１の第１ピニオンギヤ４１Ｂから、伝達部４２における遊星ギヤ４２Ｂの大ギヤ部４２Ｄ及び小ギヤ部４２Ｃ、第２ピニオンギヤ４２Ａを介して、ラックギヤ３１Ｅに伝達される。その結果、移動部材３１のスライド部３１Ｂは、前後方向８の後方へ向かう力が作用しても、その力に対して大きな抵抗力が作用する。
【００４２】
従って、第１状態のパネル２１は、第１面２１Ａの入力部に対するユーザの入力操作によって、回動方向６の第２回動方向へ回動するおそれがない。これにより、ユーザは、パネル２１の入力部に対して安定的に入力操作することができる。
【００４３】
なお、使用状態のパネル２１を、プリンタ部１１の前壁部１１Ａに沿った第２状態に回動させる場合には、ユーザは、パネル２１を回動方向６の第２回動方向に回動させる。この場合には、摺動部４１の第１回転軸４１Ｂにおいて発生する摺動抵抗力よりも、僅かに大きな押圧力がパネル２１に付与されることによって、パネル２１は、第２回動方向に回動される。すなわち、ユーザは、パネル２１をタッチ操作する場合よりも大きな力をパネル２１に付与することにより、パネル２１を第２回動方向へ回動させることができる。これにより、パネル２１は、プリンタ部１１の前壁部１１Ａに沿った第２状態とされる。
【００４４】
［実施形態の効果］
抵抗部材４０は、パネル２１の回動方向６の第１回動方向への回動に連動して前後方向８の前方へ移動する移動部材３１に対して、比較的小さい抵抗力を付与する。他方、抵抗部材４０は、パネル２１の回動方向６の第２回動方向への回動に連動して前後方向８の後方へ移動する移動部材３１に対して、比較的大きい抵抗力を付与する。したがって、回動方向６の第１回動方向へのパネル２１の回動は円滑になり、他方、ユーザが入力部へ入力するときにパネル２１に加わる回動方向６の第２回動方向への力に対しては、抵抗部材４０による抵抗力によってパネル２１が回動方向６の第２回動方向へ回動し難くなる。
【００４５】
抵抗部材４０は、摺動抵抗力を発生する摺動部４１と、移動部材３１が前後方向８の後方へ移動するときに移動部材３１と摺動部４１とを連結し、移動部材３１が前後方向８の前方へ移動するときに移動部材３１と摺動部４１とを連結しない伝達部４２と、を有する。伝達部４２は、摺動部４１と伝達部４２とによって、パネル２１の回動に対応する適切な抵抗力を移動部材３１に付与することができる。
【００４６】
摺動部４１は、第１回転軸４１Ａと、第１回転軸４１Ａが嵌合する軸受孔４１Ｄが設けられた軸受部４１Ｃと、を有し、第１回転軸４１Ａと軸受孔４１Ｄとの間において摺動抵抗力が発生する。当該摺動部４１は簡易な構成で摺動抵抗力を発生できる。
【００４７】
伝達部４２は、第１回転軸４１Ａと一体に回転する第１ピニオンギヤ４１Ｂと、移動部材３１に設けられたラックギヤ３１Ｅと噛合する第２ピニオンギヤ４２Ａと、第２ピニオンギヤ４２Ａと噛合しており、第２ピニオンギヤ４２Ａの軸周りに移動することにより第１ピニオンギヤ４１Ｂと噛合する第１状態、又は第１ピニオンギヤ４１Ｂと噛合しない第２状態となる遊星ギヤ４２Ｂと、を有する。伝達部４２は、第１ピニオンギヤ４１Ｂと、遊星ギヤ４２Ｂと、第２ピニオンギヤ４２Ａとにより、摺動抵抗力を伝達する状態と、伝達しない状態との切り換えを確実に行うことができる。
【００４８】
［変形例］
抵抗部材４０は、上記実施形態のように、軸受部４１Ｃによって第１回転軸４１Ａに摺動抵抗を付与する摺動部４１と、摺動部４１と移動部材３１とを連結する伝達部４２とを有する構成に限らない。例えば、伝達部４２に代えて、図６に示されるワンウェイヒンジ４５によって抵抗部材４０を構成してもよい。ワンウェイヒンジ４５は、ラックギヤ３１Ｅに噛合する第２ピニオンギヤ４２Ａと一体回転可能になった第２回転軸４２Ｅに連結される。
【００４９】
ワンウェイヒンジ４５は、一方向への回転に対してトルクを与え、他方向への回転に対してトルクを発生させないものである。ワンウェイヒンジ４５は、第２ピニオンギヤ４２Ａが図５（Ａ）において矢印５１で示す方向に回転されると、トルクが発生せず、図５（Ａ）において矢印５３で示す方向に回転されると、トルクが発生するように、第２回転軸４２Ｅに連結される。従って、移動部材３１のスライド部３１Ｂが前後方向８の前方にスライドされる場合には、第２ピニオンギヤ４２Ａにトルクは発生せず、スライド部３１Ｂが前後方向８の後方にスライドされる場合には、第２ピニオンギヤ４２Ａにトルクは発生する。
【００５０】
その結果、パネル２１の第１回動方向への回動に連動して前後方向８の前方へ移動する移動部材３１に対して、ワンウェイヒンジ４５が付与する抵抗力は比較的小さい。他方、パネル２１の第２回動方向への回動に連動して前後方向８の後方へ移動する移動部材３１に対して、ワンウェイヒンジ４５が付与する抵抗力は比較的大きい。
【００５１】
なお、ワンウェイヒンジ４５は、ラックギヤ３１Ｅに噛合する第２ピニオンギヤ４２Ａが取り付けられた第２回転軸４２Ｅに直接連結する構成とされる。あるいは、第２回転軸４２Ｅに、１又は複数のアイドルギヤを介して連結される構成とされる。
【符号の説明】
【００５２】
１０・・・・複合機
１１・・・・プリンタ部
１２・・・・スキャナ部
１１Ａ・・・前壁部
１１Ｂ・・・支持部
１３・・・・支持台
１３Ａ・・・案内面
１３Ｂ・・・案内溝
２０・・・・パネル装置
２１・・・・パネル
２１Ａ・・・第１面
２１Ｃ・・・第２面
２１Ｄ・・・回動軸
３１・・・・移動部材
３１Ｂ・・・スライド部
３１Ｅ・・・ラックギヤ
３２・・・・連結部
４０・・・・抵抗部材
４１・・・・摺動部
４１Ａ・・・第１回転軸
４１Ｂ・・・第１ピニオンギヤ
４１Ｃ・・・軸受部
４１Ｄ・・・軸受孔
４２・・・・伝達部
４２Ａ・・・第２ピニオンギヤ
４２Ｂ・・・遊星ギヤ
４２Ｃ・・・小ギヤ部
４２Ｄ・・・大ギヤ部
【図１】
0006304102.tif 000002
【図２】
0006304102.tif 000003
【図３】
0006304102.tif 000004
【図４】
0006304102.tif 000005
【図５】
0006304102.tif 000006
【図６】
0006304102.tif 000007